(57)【要約】【課題】電解槽内に設けた混合室で被電解水を調製する方式を採る電解水生成装置において、電解運転の開始の初期に電解電流値が設定された電解電流値に早期に安定する、被電解水の塩濃度のフィードバック制御を行う。【解決手段】前記原水および前記原液を互いに独立した供給管路を通して電解槽における電解室の上流側の部位に位置する混合室に供給して同混合室にて被電解水を調製する方式を採る電解水成装置であって、電解運転中には、パルス駆動型の給水ポンプ２４の駆動を制御することに被電解水を設定された塩濃度に制御するものであり、フィードバック制御を、電解運転の始動時における電解電流値の変動が設定電流値を２度通過した時点で開始することを特徴とする。【選択図】    図８
2006130478.tif 000002
【特許請求の範囲】
【請求項１】
濃塩水の塩水源からパルス駆動型の給水ポンプを介して導出する濃塩水を原液として給水源から導出される原水に連続して供給して所定濃度の希薄塩水を調製し、同希薄塩水を被電解水として電解槽の電解室に供給して設定された電解電流値で電解し、同電解室にて生成される電解生成水を流出させる電解水生成装置であり、当該電解水生成装置は、前記原水および前記原液を互いに独立した供給管路を通して前記電解槽における前記電解室の上流側の部位に位置する混合室に供給して同混合室にて被電解水を調製し、電解運転中には、前記給水ポンプの駆動をフィードバック制御することによって被電解水を設定された塩濃度に制御するものであり、当該フィードバック制御は、電解運転の始動時における前記電解電流値の変動が設定電流値を２度通過した時点で開始することを特徴とする電解水生成装置。
【請求項２】
濃塩水の塩水源からパルス駆動型の給水ポンプを介して導出される濃塩水を原液として給水源から導出される原水に連続して供給して所定濃度の希薄塩水を調製し、同希薄塩水を被電解水として電解槽の電解室に供給して設定された電解電流値で電解し、同電解室にて生成される電解生成水を流出させる電解水生成装置であり、当該電解水生成装置は、前記原水および前記原液を互いに独立した供給管路を通して前記電解槽における前記電解室の上流側の部位に位置する混合室に供給して同混合室にて被電解水を調製し、電解運転中には、前記給水ポンプの駆動をフィードバック制御することによって被電解水を設定された塩濃度に制御するものであり、電解運転の始動時には前記給水ポンプを当該フィードバック制御時の最大駆動状態で短時間駆動し、その後、当該フィードバック制御を開始することを特徴とする電解水生成装置。
【発明の詳細な説明】
【技術分野】
【０００１】
本発明は、水を原水としかつ濃塩水を原液として調製された希薄塩水を被電解水とし、同被電解水を電解する電解水生成装置に関する。
【背景技術】
【０００２】
電解水生成装置の一形式として、濃塩水の塩水源からパルス駆動型の給水ポンプを介して導出される濃塩水を原液として給水源から導出される原水に連続して供給して所定濃度の希薄塩水を調製し、同希薄塩水を被電解水として電解槽の電解室に供給して設定された電解電流値で電解し、同電解室にて生成される電解生成水を流出させる形式の電解水生成装置がある。当該形式の電解水生成装置においては、電解運転中には、前記給水ポンプの駆動をフィードバック制御することによって、被電解水を設定された塩濃度に制御する方式が採られている（特許文献１を参照）。
【０００３】
また、当該形式の範疇に属する電解水生成装置として、上記した形式の電解水生成装置であって、特に、前記原水および前記原液を互いに独立した供給管路を通して前記電解槽における前記電解室の上流側の部位に位置する混合室に供給して同混合室にて被電解水を調製する形式の電解水生成装置がある（特許文献２を参照）。
【０００４】
当該電解水生成装置においても、前者の形式の電解水生成装置と同様に、電解運転中には、パルス駆動型の給水ポンプの駆動をフィードバック制御することによって、被電解水を設定された塩濃度に制御することは当然に要請される。
【特許文献１】特開平１１−１３８１６８号公報
【特許文献２】特開２０００−４２５４５号公報
【発明の開示】
【発明が解決しようとする課題】
【０００５】
ところで、上記した後者の電解水生成装置においては、被電解水の調製を、電解槽内に設けた電解室の上流側に位置する混合室で行う方式であることから、給水ポンプの駆動をフィードバック制御（換言すれば、被電解水の濃度のフィードバック制御）には、当該電解水生成装置の特有の問題がある。すなわち、当該電解水生成装置においては、被電解水の調製用の原水と原液とを、互いに独立した供給管路を通して電解槽における電解室の上流側に位置する混合室に供給して、同混合室にて被電解水を調製する方式を採っている。被電解水のこのような調製方式を採る電解水生成装置においては、電解運転を一旦停止するときには、電解運転の停止直後に原水を数秒間供給して、混合室に残留する被電解水を電解槽から流出させ、電解水生成装置の電解運転の再開に備えている。
【０００６】
しかしながら、当該電解水生成装置においては、電解運転の停止中における原液の供給管路は、原液が充満して残留している状態にあって、電解運転の停止中に、供給管路に残留する原液が混合室側へ漸次漏出するおそれがある。当該電解水生成装置において、原液のこのような漏出現象が生じると、電解運転の再開の初期には、被電解水の塩濃度のフィードバック制御を電解運転の開始と同時に行っても、電解電流値を設定された電解電流値に早期に安定状態に制御することができない。
【０００７】
電解運転を長時間停止した後に電解運転を再開する場合にあっては、電解運転の開始時には、混合室に残留する被電解水より濃厚な塩水に起因して必ず突入電流が発生するとともに、残留する塩水が流出した後には電流が大きく下がることになって、電解電流値が設定された電解電流値を基準として、上下に大きく変動して波打つハンチング現象が発生する。このため、被電解水の塩濃度のフィードバック制御を電解運転の開始と同時に行うと、ハンチングの影響を受けて電解電流値が早期には安定した状態とはならない。図６のグラフは、ハンチング現象が発生した場合における電解電流値の変動の一挙動を示している。
【０００８】
また、電解運転を短時間停止した後に電解運転を再開する場合にあっては、電解運転の開始時には、混合室に残留する被電解水とは濃度の異なる塩水に起因して、突入電流が設定された電解電流値を越えたり越えなかったりする状態が発生する。このため、被電解水の塩濃度のフィードバック制御を電解運転の開始と同時に行うと、突入電流が設定された電解電流値を越えない場合にはその後の低下が大きくなって、結果として、ハンチング現象が大きくなって、電解電流値が早期には安定した状態とはならない。図７のグラフは、このようなハンチング現象が発生した場合における電解電流値の変動の一挙動を示している。
【０００９】
このように、当該形式の電解水生成装置のごとく、電解槽内に設けた混合室で被電解水を調製する方式を採る電解水生成装置においては、被電解水の塩濃度のフィードバック制御を電解運転の再開と同時に行う場合には、電解運転の開始の初期には、電解電流値が設定された電解電流値に早期には安定しないという問題がある。従って、本発明の目的は、かかる問題に対処することにある。
【課題を解決するための手段】
【００１０】
本発明は、濃塩水の塩水源からパルス駆動型の給水ポンプを介して導出する濃塩水を原液として給水源から導出される原水に連続して供給して所定濃度の希薄塩水を調製し、同希薄塩水を被電解水として電解槽の電解室に供給して設定された電解電流値で電解し、同電解室にて生成される電解生成水を流出させる電解水生成装置に関する。
【００１１】
本発明に係る電解水生成装置は、前記原水および前記原液を互いに独立した供給管路を通して前記電解槽における前記電解室の上流側の部位に位置する混合室に供給して同混合室にて被電解水を調製し、電解運転中には、前記給水ポンプの駆動をフィードバック制御することによって被電解水を設定された塩濃度に制御するものである。
【００１２】
本発明に係る第１の電解水生成装置においては、当該フィードバック制御を、電解運転の始動時における前記電解電流値の変動が設定電流値を２度通過した時点で開始することを特徴とするものである。また、本発明に係る第２の電解水生成装置においては、電解運転の始動時には前記給水ポンプを当該フィードバック制御時の最大駆動状態で短時間駆動し、その後、当該フィードバック制御を開始することを特徴とするものである。
【発明の効果】
【００１３】
本発明に係る第１の電解水生成装置は、電解運転を長時間停止した後の電解運転を再開する場合に適した、給水ポンプの駆動を制御するフィードバック制御を備えるものである。当該フィードバック制御では、電解運転の始動時における前記電解電流値の変動が設定電流値を２度通過した時点で開始するものである。当該フィードバック制御は、電解運転の開始直後におけるハンチングを無視して、電解電流値の変動が零に達した時点からフィードバック制御を行うことであって、最初の突入電流による影響を受けずにフィードバック制御を行ってハンチング現象を低減することができる。
【００１４】
これにより、電解運転の開始の初期における電解電流値を早期に安定させることができる。この結果、当該電解運転では、電解運転の開始の早期から、設定された特性の電解生成水を安定した状態で生成することがきる。図８には、当該フィードバック制御における電解電流値の変動の挙動を示している。
【００１５】
一方、本発明に係る第２の電解水生成装置は、電解運転を短時間停止した後の電解運転を再開する場合に適した、給水ポンプの駆動を制御するフィードバック制御を備えるものである。当該フィードバック制御では、電解運転の始動時には前記給水ポンプを当該フィードバック制御時の最大駆動状態で短時間駆動し、その後、フィードバック制御を開始するものである。当該電解運転の開始直後においては、設定電解電流値を越えた突入電流は必ず下がることを考慮して、フィードバック制御の開始に際して濃厚な塩水を供給して、設定電解電流値を越える突入電流を形成して、当該突入電流が設定電解電流値以下に下がるのを待ち、突入電流が設定電解電流値に達した電解電流値の変動が零の時点からフィードバック制御を行うことであって、その後に生じるハンチング現象を低減することができる。
【００１６】
これにより、電解運転の開始の初期における電解電流値を早期に安定させることができる。この結果、当該電解運転では、電解運転の開始の早期から、設定された特性の電解生成水を安定した状態で生成することがきる。当該フィードバック制御における電解電流値の変動の挙動は、図８に示す挙動を同等の挙動となる。
【発明を実施するための最良の形態】
【００１７】
本発明は、電解水生成装置に関する。本発明に係る電解水生成装置は、濃塩水の塩水源からパルス駆動型の給水ポンプを介して導出する濃塩水を原液として給水源から導出される原水に連続して供給して所定濃度の希薄塩水を調製し、同希薄塩水を被電解水として電解槽の電解室に供給して設定された電解電流値で電解し、同電解室にて生成される電解生成水を流出させる電解水生成装置である。
【００１８】
図１には、本発明に係る電解水生成装置を構成する有隔膜電解槽１０を示している。また、図２および図３には、有隔膜電解槽１０を構成する左側の第１シェル１１を示し、かつ、図４には、有隔膜電解槽１０を構成する右側の第２シェル１２を示している。また、図５には、有隔膜電解槽１０と被電解水調製機構２０を一体に備えた本発明に係る電解水生成装置を概略的に示している。
【００１９】
当該電解水生成装置は、有隔膜電解槽１０と、被電解水調製機構２０を備えており、被電解水調製機構２０で調製された被電解水を有隔膜電解槽１０の各電解室にて電解し、生成された各電解生成水（電解生成酸性水および電解生成アルカリ性水）を各電解室から流出するように構成されている。
【００２０】
有隔膜電解槽１０は、両シェル１１，１２からなる槽本体１０ａ、両シェル１１，１２に挟持されて槽本体１０ａ内を左右の区画室に区画する隔壁１３、各区画室に配設されて各区画室を電解室Ｒ1，Ｒ2に形成する各電極板１４ａ，１４ｂ、各電極板１４ａ，１４ｂと隔膜１３間に配設されて各電解室Ｒ1，Ｒ2の幅を所定の間隔に保持する左右のスペーサ１５ａ，１５ｂにて構成されている。
【００２１】
当該有隔膜電解槽１０を構成する第１シェル１１は、図２および図３に示すように、シェル本体１１ａと、これに接着固定したフローカバー１１ｂと、一対のフローガイド１１ｃ，１１ｄにて形成されている。シェル本体１１ａには、被電解水調製機構２０を構成する原水供給管路２１が接続される原水流入口１１ｅ、および、原液供給管路２２が接続される原液流入口１１ｆが形成されているとともに、有隔膜電解にて生成された電解生成水の一方を流出させる電解生成水流出口１１ｇ、および、電解生成水の他方を流出させる電解生成水流出口１１ｈが形成されている。
【００２２】
また、第１シェル１１には、シェル本体１１ａとフローカバー１１ｂとにより、第１，第２混合室Ａ1，Ａ2および一対の分岐路Ｂ1，Ｂ2が形成されているとともに、各分岐路Ｂ1，Ｂ2に連通するチャンバーＣ1，Ｃ2が形成されている。各チャンバーＣ1，Ｃ2は、第２シェル１２のシェル本体１２ａに設けた各凹所１２ｂ，１２ｃに対向して開口している。これにより、各チャンバーＣ1，Ｃ2は、両シェル１１，１２と隔膜１３とにより形成されている各電解室Ｒ1，Ｒ2の上流側に連通している。
【００２３】
各混合室Ａ1，Ａ2は、後述する被電解水調製機構２０の主要部をなすもので、互いに連通している。各混合室Ａ1，Ａ2にて調製された被電解水は、第２混合室Ａ2から各分岐管路Ｂ1，Ｂ2および各チャンバーＣ1，Ｃ2を経て各電解室Ｒ1，Ｒ2に供給される。各電解室Ｒ1，Ｒ2に供給された被電解水は電解されて、各電解室Ｒ1，Ｒ2の一方では電解生成酸性水が生成され、かつ、各電解室Ｒ1，Ｒ2の他方では電解生成アルカリ性水が生成される。
【００２４】
第１シェル１１には、シェル本体１１ａとフローガイド１１ｃとによって電解生成水流出口１１ｈに連通する連通路Ｐ1が形成され、かつ、シェル本体１１ａとフローガイド１１ｄとによって電解生成水流出口１１ｇに連通する連通路Ｐ2が形成されている。連通路Ｐ1は電解室Ｒ1の下流側に連通し、かつ、連通路Ｐ2は、第２シェル１２の上方の凹所１２ｄを介して電解室Ｒ2の下流側に連通している。連通路Ｐ1は、電解室Ｒ1にて生成された一方の電解生成水を電解生成水流出口１１ｇに導いて流出させ、また、連通路Ｐ2は、電解室Ｒ2にて生成された他方の電解生成水を電解生成水流出口１１ｈに導いて流出させる。
【００２５】
当該電解水生成装置が装備している被電解水調製機構２０は、図５に示すように、槽本体１０ａ内に設けた混合室Ａ（Ａ1，Ａ２）、濃塩水タンク２３、濃塩水タンク２３と混合室Ａに接続されている原液供給管路２２、原液供給管路２２の途中に介装されている給水ポンプ２４、水源と混合室Ａに接続されている原水供給管路２１、および、原水供給管路２１の途中に介装されている開閉バルブ２５にて構成されている。当該電解水生成装置は、食塩の希薄水溶液を被電解水とするもので、当該被電解水は、高濃度食塩水を原液としかつ水道水を原水として、混合室Ａにて調製される。
【００２６】
混合室Ａで調製された被電解水は、各分岐路Ｂ1，Ｂ2および各チャンバーＣ1，Ｃ2を通って各電解室Ｒ1，Ｒ2に供給される。各電解室Ｒ1，Ｒ2に供給された被電解水は、設定された電解電流（設定電解電流値）にて電解されて電解生成水となり、各電解生成水は、連通路Ｐ1，Ｐ2を通り、各電解生成水流出口１１ｇ，１１ｈを経て流出する。
【００２７】
当該被電解水調製機構２０においては、濃塩水タンク２３には、濃度が略飽和状態で一定濃度の高濃度食塩水が、被電解水を調製するための原液として常時収容されている。原液は、給水ポンプ２４の駆動によって、原液供給管路２２を通って混合室Ａに連続的に供給される。また、水道水である原水は、開閉弁２５を開放することによって、原水供給管路２１を通って混合室Ａに一定流量で連続的に供給される。当該電解水生成装置においては、給水ポンプ２４としてパルス駆動型の給水ポンプが採用されている。
【００２８】
パルス駆動型の給水ポンプとは、例えば、ソレノイドに所定周期のパルス列信号を与え、パルス入力時にソレノイドが発生する吸引力によってピストンまたはピストンとして機能するダイヤフラムを往復動させて、吐出動作を繰り返し行うものである。従って、当該被電解水調製機構２０で採用されている給水ポンプ２４においては、吐出動作はパルス入力毎に間欠的に行われて、パルス入力信号を制御することにより、原液の混合室Ａに供給される供給量が調整されて、被電解水の塩濃度が調整される。換言すれば、被電解水の塩濃度は、給水ポンプ２４に付与するパルス入力信号を制御することにより制御することができる。
【００２９】
当該電解水生成装置においては、給水ポンプ２４のこのような吐出動作の制御によって、各電解室Ｒ1，Ｒ2に供給される被電解水の塩濃度を設定された濃度に調整して、電解運転時の電解電流を、設定された電解電流値に保持する手段を採っている。これにより、有隔膜電解槽１０においては、設定された特性の電解生成水を安定した状態で生成することができる。
【００３０】
当該電解水生成装置を構成する被電解水調製機構２０においては、原水および原液を互いに独立した各供給管路２１，２２を通して有隔膜電解槽１０内に設けた混合室Ａに供給して、混合室Ａにて被電解水を調製し、電解運転中には、給水ポンプ２４の駆動をフィードバック制御することによって、被電解水を設定された塩濃度に制御する手段を採っている。
【００３１】
フィードバック制御では、電解運転時の有隔膜電解槽１０における電解電流を計測し、設定した短時間の間に計測した複数の電解電流値の平均値に基づいて、これをパルス信号として給水ポンプ２４に短時間毎に発信して、給水ポンプ２４の吐出動作を制御して原液の混合室Ａへの供給量を調整することにより、被電解水の塩濃度を設定された濃度に保持している。これにより、各電解室Ｒ1，Ｒ2には、設定された塩濃度の被電解水が供給されて、電解運転中の電解電流が設定電解電流値に保持され、設定された特性の電解生成水が生成される。
【００３２】
ところで、当該電解水生成装置においては、被電解水の調製を、有隔膜電解槽１０内に設けた電解室Ｒ1，Ｒ2の上流側に位置する混合室Ａで行う方式を採っていることから、被電解水の濃度のフィードバック制御には、当該電解水生成装置の特有の問題がある。すなわち、当該電解水生成装置においては、被電解水の調製用の原水と原液とを、互いに独立した供給管路２１，２２を通して有隔膜電解槽１０の混合室Ａに供給して、同混合室Ａにて被電解水を調製する方式を採っている。
【００３３】
被電解水のこのような調製方式を採る当該電解水生成装置においては、電解運転を一旦停止するときには、電解運転の停止直後に原水を数秒間供給して、混合室Ａに残留する被電解水を有隔膜電解槽１０から流出させ、電解水生成装置の電解運転の再開に備える手段を採っている。
【００３４】
しかしながら、当該電解水生成装置においては、電解運転の停止中における原液を混合室Ａへ供給する供給管路２２は、原液が充満して残留している状態にあって、電解運転の停止中に、供給管路２２に残留する原液が混合室Ａ側へ漸次漏出するおそれがある。当該電解水生成装置において、原液のこのような漏出現象が生じると、電解運転の再開の初期には、被電解水の塩濃度のフィードバック制御を電解運転の開始と同時に開始しても、電解電流値を設定電解電流値に、早期には安定状態に制御することができない。
【００３５】
電解運転を長時間停止した後に電解運転を再開する場合にあっては、電解運転の開始時には、混合室Ａに残留する被電解水より濃厚な塩水に起因して必ず突入電流が発生するとともに、残留する塩水が流出した後には電流が大きく下がることになって、ハンチング現象が発生する。このため、被電解水の塩濃度のフィードバック制御を電解運転の開始と同時に行う場合には、ハンチングの影響を受けて電解電流値が早期には安定した状態とはならない。
【００３６】
当該電解水生成装置においては、電解運転を長時間停止した後に電解運転を再開する場合における電解運転の再開初期には、電解運転と同時に当該フィードバック制御を行った場合には、電解電流は図６に示す変動挙動を示す。当該電解電流の変動挙動は、被電解水の塩濃度のフィードバック制御を電解運転の開始と同時に開始しても、ハンチングが大きくて、電解電流値を設定電解電流値に早期には安定状態に制御することができないことを示している。
【００３７】
当該電解水生成装置において、電解運転を長時間停止した後に電解運転を再開する場合の電解運転を、以下では第１の電解運転の再開と称し、本発明では、かかる問題を解消して、電解電流値を設定電解電流値に早期に安定状態に制御することを意図している（本発明の第１の目的）。
【００３８】
また、電解運転を短時間停止した後に電解運転を再開する場合、特に、設定電解電流値が高い電解運転では、電解運転の開始時には、混合室Ａには被電解水とは濃度の異なる塩水が残留することに起因して、突入電流が設定された電解電流値を越えたり越えなかったりする状態が発生する。このため、被電解水の塩濃度のフィードバック制御を電解運転の開始と同時に行うと、突入電流が設定された電解電流値を越えない場合にはその後のハンチングが大きくなって、電解電流値が早期には安定した状態とはならない。
【００３９】
当該電解水生成装置においては、電解運転を短時間停止した後に電解運転を再開する場合、特に、電解電流値が高い電解運転を再開する場合における電解運転の再開初期には、電解運転と同時に当該フィードバック制御を行った場合には、電解電流は図７に示す変動挙動を示す。当該電解電流の変動挙動は、被電解水の塩濃度のフィードバック制御を電解運転の開始と同時に開始しても、ハンチングが大きくて、電解電流値を設定電解電流値に早期に安定状態に制御することができないことを示している。
【００４０】
当該電解水生成装置において、電解運転を短時間停止した後に電解運転（電解電流値が高い電解運転）を再開する場合の電解運転を、以下では第２の電解運転の再開と称し、本発明ではかかる問題を解消して、電解電流値を設定電解電流値に早期に安定状態に制御することを意図している（本発明の第２の目的）。
【００４１】
本発明では、本発明の第１の目的を達成すべく、第１の電解運転の再開では、当該フィードバック制御を、電解運転の始動時における電解電流の変動が設定電流値を２度通過した時点で開始するものである。当該フィードバック制御では、電解運転の開始直後におけるハンチング現象を無視して、電解電流値の変動が零に達した時点からフィードバック制御を行うことであって、最初の突入電流による影響を受けずにフィードバック制御を行ってハンチング現象を低減することができる。
【００４２】
これにより、電解運転の開始の初期における電解電流値を早期に安定させることができる。この結果、当該電解運転では、電解運転の開始の早期から、設定された特性の電解生成水を安定した状態で生成することがきる。図８には、当該フィードバック制御における電解電流値の変動の挙動を示している。
【００４３】
また、本発明では、本発明の第２の目的を達成すべく、第２の電解運転の再開では、当該フィードバック制御に先だって、電解運転の始動時に給水ポンプ２４を当該フィードバック制御時の最大駆動状態で短時間駆動し、その後、当該フィードバック制御を開始するものである。当該電解運転の開始直後においては、設定電解電流値を越えた突入電流は必ず下がることを考慮して、フィードバック制御の開始に際して濃厚な塩水を供給して、設定電解電流値を越える突入電流を形成して、当該突入電流が設定電解電流値以下に下がるのを待ち、突入電流が設定電解電流値に達した電解電流値の変動が零の時点からフィードバック制御を行うことであって、その後に生じるハンチング現象を低減することができる。
【００４４】
これにより、電解運転の開始の初期における電解電流値を早期に安定させることができる。この結果、当該電解運転では、電解運転の開始の早期から、設定された特性の電解生成水を安定した状態で生成することがきる。当該フィードバック制御における電解電流値の変動の挙動は、図８に示す挙動と同等の挙動となる。
【図面の簡単な説明】
【００４５】
【図１】本発明に係る電解水生成装置を構成する有隔膜電解槽の縦断面図である。
【図２】同有隔膜電解槽を構成する一方のシェルの内側からみた正面図である。
【図３】同シェルにおける内壁面の正面図である。
【図４】同有隔膜電解槽を構成する他方のシェルにおける内壁面の正面図である。
【図５】本発明に係る電解水生成装置の一例を示す概略構成図である。
【図６】従来のフィードバックの一例における電解電流の変動挙動を示すグラフである。
【図７】従来のフィードバックの他の一例における電解電流の変動挙動を示すグラフである。
【図８】本発明のフィードバックの一例における電解電流の変動挙動を示すグラフである。
【符号の説明】
【００４６】
１０…有隔膜電解槽、１０ａ…槽本体、１１…第１シェル、１１ａ…シェル本体、１１ｂ…フローカバー、１１ｃ，１１ｄ…フローガイド、１１ｅ…原水流入口、１１ｆ…原液流入口、１１ｇ，１１ｈ…電解生成水流出口、１２…第２シェル、１２ａ…シェル本体、１２ｂ，１２ｃ，１２ｄ…凹所、１３…隔膜、１４ａ，１４ｂ…電極板、１５ａ，１５ｂ…スペーサ、２０…被電解水調製機構、２１…原水供給管路、２２…原液供給管路、２３…濃塩水タンク、２４…給水ポンプ、２５…開閉バルブ、Ａ1，Ａ2（Ａ）…混合室、Ｂ1，Ｂ2…分岐路、Ｃ1，Ｃ2…チャンバー、Ｐ1，Ｐ2…連通路。
【図１】
2006130478.tif 000003
【図２】
2006130478.tif 000004
【図３】
2006130478.tif 000005
【図４】
2006130478.tif 000006
【図５】
2006130478.tif 000007
【図６】
2006130478.tif 000008
【図７】
2006130478.tif 000009
【図８】
2006130478.tif 000010